(57)【要約】【課題】  ゴルフでボールをジャストミートすることは難しい。その原因をクラブにはクラブヘッドの重心とクラブ全体の重心があり、この２つの重心を上手くコントロールできないことにあると考える。【解決手段】  本発明は一方が手元、他方がクラブ全体の重心付近にあり、その延長軸線がクラブヘッドの重心を指すもう一つ別のシャフトをゴルフクラブに装着するものである。前記ゴルフクラブでスイングの練習をするとボールのミート率を上げることができる。そして、そのもう一つのシャフトを仮想シャフトと呼ぶ。また、前記仮想シャフトをゴルフクラブのシャフトを対称の軸として反対側に装着したものもある。【選択図】図８
2008188410.tif 000002
【特許請求の範囲】
【請求項１】
ゴルフクラブのシャフトに沿って、所定の長さの仮想シャフトを装着し、その仮想シャフトの両端は一端が手元、他端がクラブ全体の重心付近にあり、その延長軸線はクラブヘッドの重心付近を指すことを特徴とするゴルフクラブ。
【請求項２】
請求項１の仮想シャフトがゴルフクラブのシャフトを対称の軸として反対側に装着されるゴルフクラブ。
【請求項３】
ゴルフクラブのシャフトへの取り付け具を有し、この取り付け具により、ゴルフクラブのシャフトに着脱自在とした仮想シャフトからなり、取り付け具によるシャフトへの装着時に、仮想シャフトの一端が手元、他端がクラブ全体の重心付近にあり、その延長軸線はクラブヘッドの重心付近を指すことを特徴とする練習器具。
【請求項４】
請求項５の仮想シャフトをゴルフクラブのシャフトを対称の軸として反対側に装着する練習器具。
【発明の詳細な説明】
【技術分野】
【０００１】    本発明は練習用ゴルフクラブ及びゴルフの練習器具に関するものである。
【背景技術】
【０００２】    ゴルフクラブは、シャフトの先端にクラブヘッドが取り付けられているが、クラブヘッドの重心はシャフトの中心軸から偏っている。また、クラブシャフトの中心よりクラブヘッド側に、クラブ全体の重心がある。つまり、ゴルフクラブには２つの重心がある。スイング中のゴルフクラブは、この２つの重心を中心に様々な動きをする。野球のバットには発生し得ない動きである。このようなゴルフクラブでボールをジャストミートすることは難しい。その原因を図１に示すように、クラブヘッドの重心とクラブ全体の重心にあると考える。【０００３】    なお、関連する先行技術文献として次のような文献がある。
【特許文献１】    特開２０００−５３５８
【発明の開示】
【発明が解決しようとする課題】
【０００４】    つまり、このゴルフクラブの２つの重心を上手にコントロールする技術を身に付けることがゴルフの上達を早めると考える。【０００５】    すなわち本発明は、ゴルフクラブの２つの重心を上手にコントロールする技術を身に付けることによって、ゴルフが上達する練習用ゴルフクラブ及び練習器具を提供することを目的とする。
【課題を解決するための手段】
【０００６】    上記の目的を達成するため、図２、図３に示すように、ゴルフクラブのシャフトに沿って、所定の長さの仮想シャフトを装着し、その仮想シャフトの両端は一端が手元、他端がクラブ全体の重心付近にあり、その延長軸線はクラブヘッドの重心付近を指すことを特徴とする練習用ゴルフクラブを提供する。この延長軸線を重心ラインと呼ぶこととする。【０００７】    さらに図４、図５に示すように、前記仮想シャフトを通常の装着位置と反対側に装着するものもある。つまりゴルフクラブのシャフトを対称の軸として反対側に装着するものである。この装着方法により、反対側からゴルフクラブをバランスさせる感覚でスイングできる。ゴルフクラブのシャフトを対称の軸として重心ラインと反対側になるラインを裏の重心ラインと呼ぶこととする。【０００８】    前記仮想シャフトは、ゴルフクラブのシャフトに対し任意に角度調節、取り外し可能である。また前記仮想シャフトの先端に、視覚に訴えるマークを備え、当該マークは、発光体、反射テープ、蛍光塗料の塗布体の少なくともいずれかからなり、マークによりスウィング軌道が視認できるものである。さらに前記仮想シャフトの中には伸縮自在で、その長さが調節できるものもある。【０００９】    そして前記仮想シャフトの種類は、金属パイプ、プラスチックパイプ、カーボンパイプ、伸縮可能なパイプ、スプリング、ゴムひも、糸ひも、ロープ、レーザー光線、ライトの光などがあり、どれも効果は同じである。【００１０】    また通常のゴルフクラブに装着して、前記ゴルフクラブと同様の機能を持ち、同様の効果を生む、仮想シャフトとクラブへの取り付け具からなる練習器具も提供する。【００１１】    すなわち、ゴルフクラブのシャフトへの取り付け具を有し、この取り付け具により、前記ゴルフクラブのシャフトに着脱自在とした仮想シャフトからなり、取り付け具によるシャフトへの装着時に、仮想シャフトの一端が手元、他端がクラブ全体の重心付近にあり、その延長軸線はクラブヘッドの重心付近を指すことを特徴とする練習器具である。【００１２】    さらに前記仮想シャフトを通常の装着位置と反対側に装着するものもある。つまりゴルフクラブのシャフトを対称の軸として反対側に装着することである。
【発明の効果】
【００１３】    本発明の前記練習用クラブあるいは前記練習器具で練習すると、クラブヘッドの重心とクラブ全体の重心を上手にコントロールできるようになるため、短期間でゴルフが上達する。【００１４】    またアドレス時に、クラブシャフトと前記仮想シャフトが重なって見えるようにアドレスすることで、正しいアドレスがとりやすい。【００１５】    さらに、練習中のスイングでクラブシャフトが地面と平行になった時、クラブシャフトと前記仮想シャフトがプレーヤーから１本に重なって見えれば、クラブヘッドの重心がシャフトに乗った正しいスイングといえる。
【発明を実施するための最良の形態】
【００１６】    ゴルフクラブは、スイング中にヘッドの重心とグリップエンド付近を結ぶ線を中心軸に回転する動きを生じやすい。さらには、クラブ全体の重心を中心にあらゆる方向に動く。【００１７】    ゴルフはこの２つの重心によって難しいスポーツとなっている。しかし、この２つの重心をコントロールすることによって、簡単にミート率を上げることができる。【００１８】    図６は本発明の第１実施例を示す。図６に示すようにゴルフクラブに前記仮想シャフトが装着される。前記仮想シャフトの一端は手元、他端がクラブの重心付近にあり、その延長軸線はクラブヘッドの重心付近を指している。【００１９】    つまり、前記仮想シャフトを振るイメージでスイングすると、重心に振り回されることなく正しいスイングができる。するとこれまで以上に正確に、しかも簡単にボールをジャストミートすることができる。【００２０】    さらに図８は本発明の第２実施例を示す。前記仮想シャフトを通常の装着位置と反対側に装着するものである。つまりゴルフクラブのシャフトを対称の軸として反対側に装着することである。これによってシャフトの軸線とずれたところにあるクラブヘッドの重心を、シャフトを対称の軸とした反対側でバランスさせることによって、クラブのコントロールが容易になる。【００２１】    いずれの装着方法でも前記仮想シャフトを振るイメージでスイングすると、手首が伸びてしまう動きや、スイング時にクラブがローリングする動きなどを防ぐことができる。その結果、これまで以上に正確に、しかも簡単にボールをジャストミートすることができる。【００２２】    またパターに装着しても同様の効果が得られる。以上が本発明の要旨である。
【図面の簡単な説明】
【００２３】
【図１】クラブヘッドの重心とクラブ全体の重心
【図２】重心のクロスする点
【図３】重心ラインへの仮想シャフトの取り付け位置
【図４】重心をバランスさせる反対側の重心位置
【図５】裏の重心ラインへの仮想シャフトの取り付け位置
【図６】実施例１
【図７】仮想シャフト取り付け具
【図８】実施例２
【符号の説明】
【００２４】    １ゴルフクラブ
２クラブヘッドの重心
３クラブ全体の重心
４重心がクロスする点
５重心ライン
６仮想シャフト
７裏の重心ライン
８仮想シャフト固定具
【図１】
2008188410.tif 000003
【図２】
2008188410.tif 000004
【図３】
2008188410.tif 000005
【図４】
2008188410.tif 000006
【図５】
2008188410.tif 000007
【図６】
2008188410.tif 000008
【図７】
2008188410.tif 000009
【図８】
2008188410.tif 000010